【事件の表示】
　上記当事者間の登録第４１４０４７３号商標の登録取消審判事件について，次のとおり審決する。
【結　論】
　登録第４１４０４７３号商標の指定商品中、第９類「電子応用機械器具及びその部品，電池，眼鏡，電気通信機械器具，遊園地用機械器具，映写フィルム，スライドフィルム，スライドフィルム用マウント，録画済みビデオディスク及びビデオテープ，計算尺」については、その登録は取り消す。
　審判費用は、被請求人の負担とする。
【理　由】
第１　本件商標　
　本件登録第４１４０４７３号商標（以下「本件商標」という。）は、別掲のとおりの構成からなり、平成５年１１月１６日に登録出願、第９類「電子応用機械器具及びその部品，電池，眼鏡，電気通信機械器具，遊園地用機械器具，映写フィルム，スライドフィルム，スライドフィルム用マウント，録画済みビデオディスク及びビデオテープ，計算尺」を含む商標登録原簿に記載する第９類に属する商品を指定商品として、同１０年５月１日に設定登録され、その後、同２０年４月８日及び同３０年２月６日に商標権の存続期間の更新登録がされたものである。
　そして、本件審判の請求の登録日は、令和元年１２月１３日である。
　また、本件審判の請求の登録前３年以内の期間である平成２８年１２月１３日から令和元年１２月１２日までの期間を、以下「要証期間」という。
第２　請求人の主張
　請求人は、結論同旨の審決を求め、その理由を審判請求書において要旨次のように述べ、証拠方法として、甲第１号証を提出した。
　本件商標は、その指定商品中、第９類「電子応用機械器具及びその部品，電池，眼鏡，電気通信機械器具，遊園地用機械器具，映写フィルム，スライドフィルム，スライドフィルム用マウント，録画済みビデオディスク及びビデオテープ，計算尺」（以下「本件取消請求にかかる指定商品」という場合がある。）について、継続して３年以上日本国内において商標権者、専用使用権者又は通常使用権者のいずれも使用した事実を存しないから、その指定商品中の本件登録は、商標法第５０条第１項の規定により取り消されるべきである。
第３　被請求人の主張
　被請求人は、本件審判の請求は成り立たない、審判費用は請求人の負担とする、との審決を求め、答弁において、その理由を要旨次のように述べ、証拠方法として、乙第１号証ないし乙第１３号証を提出した。
　１　株式会社エアーついて
　株式会社エアー（以下「エアー社」という。）　は、１９８３年に誕生以来、各時代の最先端ＩＴ技術の吸収、蓄積に努め、各種データベースシステムやサーバーシステムなど、企業の業務を最適化するさまざまな画期的ソリューションを生み出し、エンタープライズ市場に提供してきた。日本初のＩＭＡＰメールサーバ「ＡＩＲ　ＭＡＩＬ」はその一つであり、本件商標の商標権者（以下「本件商標権者」という。）であるエアー社は、指定商品「電子応用機械器具及びその部品」に属する「電子メール用ソフトウェア」について、商標「ＡＩＲ　ＭＡＩＬ」（以下「使用商標」という。）を使用してきた（乙１）。
　２　本件商標と使用商標の関係について
（１）社会通念上同一について
　本件商標が「ＡＩＲ　ＭＡＩＬ」の欧文字の上部に３枚のレター図形を添えた構成からなるのに対し、使用商標は「ＡＩＲ　ＭＡＩＬ」の欧文字のみで構成されているが、使用商標は、以下のとおり、本件商標と社会通念上同一と認められるものである。
（２）称呼について
　本件商標からは、「ＡＩＲ　ＭＡＩＬ」の文字部分より「エアーメール」の称呼を生じ、使用商標からも同様に「エアーメール」の称呼を生じることは明らかである。
（３）観念について
　本件商標からは、「ＡＩＲ　ＭＡＩＬ」の文字部分より「航空便」の観念を生じ、使用商標からも同様に「航空便」の観念を生じることは明らかである。この点、本件商標は、「ＡＩＲ　ＭＡＩＬ」の欧文字の上部に３枚のレター図形を添えた構成からなるが、かかる３枚のレター図形を加えることをもって、本件商標全体から特段の観念を生じるものではない。
（４）外観について
　本件商標と使用商標とは、３枚のレター図形の有無においてのみ外観上相違するものである。３枚のレター図形からは特段の観念を生じないことは上記したとおりであるから、本件商標に接する取引者、需要者は、構成中の「ＡＩＲ　ＭＡＩＬ」の文字部分を自他商品識別標識としての機能を果たす主要部であると看取する反面、３枚のレター図形については、単に「ＡＩＲ　ＭＡＩＬ」の文字を装飾する意味合いで付したものと理解するものである。
（５）小括
　以上を前提として本件商標と使用商標をみると、３枚のレター図形の有無の差はあるものの、３枚のレター図形は「ＡＩＲ　ＭＡＩＬ」の文字を装飾する意味合いで付されたものと理解されるものであり、本件商標から３枚のレター図形を除いてその指定商品に使用しても、それは本件商標の識別性に影響を与えない程度の表示態様の変更とみ得るので、本件商標と使用商標の関係は、社会通念上同一の範ちゅうに属する商標である。
（６）過去の審決例
　登録商標が「図形および文字」である場合に、使用商標が「文字」のみである場合における過去の不使用取消審判において、上記と同様の判断がなされた結果登録商標と使用商標が社会通念上同一であるとされた事案がある（乙２、乙３）。
　３　本件商標権者による本件商標の使用実績を示す資料
　本件商標権者が使用している商標「ＡＩＲ　ＭＡＩＬ」は本件商標と社会通念上同一であるから、以下（１）ないし（６）において、使用商標も含めて「本件商標」という。
（１）乙第１号証
　乙第１号証は、本件商標権者が顧客等に頒布している自社の会社案内である。乙第１号証に示すとおり、本件商標権者は、１９９３年のインターネットの一般への解禁と同時に、先進のＩＭＡＰ４、ＭＩＭＥに対応したＥ−ｍａｉｌ用の自社開発ソフトウェア「ＡＩＲ　ＭＡＩＬ」の販売を開始している。
　すなわち、本件取消請求にかかる指定商品に属する電子メール用ソフトウェアの広告に本件商標が使用されていたことがわかる。
（２）乙第４号証及び乙第５号証
　乙第４号証は、本件商標権者がＴＩＳ株式会社（以下「ＴＩＳ」という。）との取引において取引書類として使用した納品書（控）である。乙第５号証は、本件商標権者がＴＩＳとの取引において取引書類として使用した請求書である。乙第４号証及び乙第５号証における顧客名、伝票番号、伝票日付、商品番号、商品名、単価、数量及び金額の記載が符合することから、本件商標権者は、２０１７月３月２１日に、顧客であるＴＩＳに電子メール用ソフトウェア「ＡＩＲ　ＭＡＩＬ　Ｓｅｒｖｅｒ　ＵＮＩＸ　３０」１個（＠６８０，０００円）を納品し、その代金６８０，０００円は同日にＴＩＳに請求したことがわかる。
　すなわち、要証期間内において、本件商標が第９類の「電子メール用コンピュータサーバー」に使用されていたことがわかる。
（３）乙第６号証及び乙第７号証
　乙第６号証は、本件商標権者がＡＩＴ株式会社（以下「ＡＩＴ」という。）との取引において取引書類として使用した納品書（控）である。乙第７号証は、本件商標権者がＡＩＴとの取引において取引書類として使用した請求書である。乙第６号証及び乙第７号証における顧客名、伝票番号、伝票日付、商品番号、商品名、単価、数量及び金額の記載が符合することから、本件商標権者は、２０１７年５月１６日に、顧客であるＡＩＴに電子メール用ソフトウェア「ＡＩＲ　ＭＡＩＬ　Ｓｕｐｐｏｒｔ　１」３個（＠３０６，０００円）を納品し、その代金９１８，０００円は同日にＡＩＴに請求したことがわかる。
　すなわち、要証期間内において、本件商標が第９類の「電子メール用電子計算機用プログラム」及びこれに類似する「電子メール用電子計算機用プログラムの提供」に使用されていたことがわかる。
（４）乙第８号証及び乙第９号証
　乙第８号証は、本件商標権者がＡＩＴとの取引において取引書類として使用した納品書（控）である。乙第９号証は、本件商標権者がＡＩＴとの取引において取引書類として使用した請求書である。乙第８号証及び乙第９号証における顧客名、伝票番号、伝票日付、商品番号、商品名、単価、数量及び金額の記載が符合することから、本件商標権者は、２０１７年６月２日に、顧客であるＡＩＴに電子メール用ソフトウェア「ＡＩＲ　ＭＡＩＬ　Ｓｕｐｐｏｒｔ　１」１個（＠３０６，０００円）を納品し、その代金３０６，０００円は同日にＡＩＴに請求したことがわかる。
　すなわち、要証期間内において、本件商標が第９類の「電子メール用電子計算機用プログラム」及びこれに類似する「電子メール用電子計算機用プログラムの提供」に使用されていたことがわかる。
（５）乙第１０号証及び乙第１１号証
　乙第１０号証は、本件商標権者がユニアデックス株式会社（以下「ユニアデックス」という。）との取引において取引書類として使用した納品書（控）である。乙第１１号証は、本件商標権者がユニアデックスとの取引において取引書類として使用した請求書である。乙第１０号証及び乙第１１号証における顧客名、伝票番号、伝票日付、商品番号、商品名、単価、数量及び金額の記載が符合することから、本件商標権者は、２０１７年１１月２９日に、顧客であるユニアデックスに電子メール用ソフトウェア「ＡＩＲ　ＭＡＩＬ　構築　Ｓｕｐｐｏｒｔ」１個（＠２６４，０００円）を納品し、その代金２６４，０００円は同日にユニアデックスに請求したことがわかる。
　すなわち、要証期間内において、本件商標が第９類の「電子メール用電子計算機用プログラム」及びこれに類似する「電子メール用電子計算機用プログラムの提供」に使用されていたことがわかる。
（６）乙第１２号証及び乙第１３号証
　乙第１２号証は、本件商標権者がユニアデックスとの取引において取引書類として使用した納品書（控）である。乙第１３号証は、本件商標権者がユニアデックスとの取引において取引書類として使用した請求書である。乙第１２号証及び乙第１３号証における顧客名、伝票番号、伝票日付、商品番号、商品名、単価、数量及び金額の記載が符合することから、本件商標権者は、２０１８年１２月２１日に、顧客であるユニアデックスに電子メール用ソフトウェア「ＡＩＲ　ＭＡＩＬ　構築　Ｓｕｐｐｏｒｔ」１個（＠２６４，０００円）を納品し、その代金２６４，０００円は同日にユニアデックスに請求したことがわかる。
　すなわち、要証期間内において、本件商標が第９類の「電子メール用電子計算機用プログラム」及びこれに類似する「電子メール用電子計算機用プログラムの提供」に使用されていたことがわかる。
　４　まとめ
　以上のとおり、本件商標権者が、本件商標を、要証期間内に日本国内において、指定商品中「電子応用機械器具及びその部品」について使用していることは明らかである。
第４　審尋及び被請求人の回答
　１　審尋
　審判長は、令和２年９月４日付け審尋において、被請求人に対し、被請求人が提出した証拠によっては、被請求人が商標法第５０条第２項に規定する本件商標を使用している事実を証明したものとは認めることができない旨の合議体の暫定的見解に対する回答を求めた。
　２　被請求人の回答
　被請求人は、上記１の審尋に対し何ら応答もしていない。
第５　当審の判断
　１　事実認定
　被請求人の主張及びその提出した証拠によれば、以下のとおりである。
（１）乙第１号証について
　乙第１号証には、その表面の右下にエアー社の記載とともに、その下段中央部に、「１９９３　インターネットの一般への解禁と同時に先進のＩＭＡＰ４、ＭＩＭＥ　対応　Ｅ−ｍａｉｌ　ソフトウェア『ＡＩＲ　ＭＡＩＬ』を自社開発、販売開始。多くのファンを集める。」との記載がある。
（２）乙第４号証及び乙第５号証について
　乙第４号証の上部には「納品書（控）」との記載、乙第５号証の上部には「請求書」との記載があり、それぞれ、その下の右側に、「２０１７年３月２１日」との日付、エアー社、事業部及び住所についての記載、その左側に、「ＴＩＳ株式会社」、「管理本部プロキュアメント管理部」、「販売仕入窓口　御中」及び住所の記載がある。
　そして、それぞれの中央の商品名の欄には、「ＡＩＲＭＡＩＬ　Ｓｅｒｖｅｒ　ＵＮＩＸ」の記載がある。
（３）乙第６号証ないし乙第９号証について
　乙第６号証及び乙第８号証の上部には「納品書（控）」との記載、乙第７号証及び乙第９号証の上部には「請求書」との記載があり、それぞれ、その下の右側に、「２０１７年５月１６日」又は「２０１７年６月２日」との日付、エアー社、事業部及び住所についての記載、その左側に、「株式会社ＡＩＴ」、「管理部」、「ご担当者　様」及び住所の記載がある。
　そして、それぞれの中央の商品名の欄には、「ＡＩＲＭＡＩＬ　Ｓｕｐｐｏｒｔ」の記載がある。
（４）乙第１０号証ないし乙第１３号証について
　乙第１０号証及び乙第１２号証の上部には「納品書（控）」との記載、乙第１１号証及び乙第１３号証の上部には「請求書」との記載があり、それぞれ、その下の右側に、「２０１７年１１月２９日」又は「２０１８年１２月２１日」との日付、エアー社、事業部及び住所についての記載、その左側に、「ユニアデックス株式会社」、「購買マネジメント部サポートサービス購買室」、「ご担当者　様」及び住所の記載がある。
　そして、それぞれの中央部の商品名の欄には、「ＡＩＲＭＡＩＬ　構築　Ｓｕｐｐｏｒｔ」の記載がある。
　２　上記１からすれば、次のとおり判断できる。
（１）使用者について
　本件商標権者であるエアー社が、Ｅ−ｍａｉｌソフトウェア「ＡＩＲ　ＭＡＩＬ」（以下「使用商品」という。）を製造・販売している事実は確認でき、使用者は、本件商標権者であるエアー社であると認められる。
（２）使用商品について
　使用商品はＥ−ｍａｉｌソフトウェア「ＡＩＲ　ＭＡＩＬ」であり、当該使用商品は本件取消請求に係る指定商品の「電子応用機械器具及びその部品」の範ちゅうに属するものといえる。
（３）使用商標について
　被請求人が提出した乙各号証を見ても、被請求人は、被請求人が提供している使用商品の商品カタログや商品又は商品の包装にどのような商標を付しているのか明らかにしていない。すなわち、使用商品の商標は不明である。
　したがって、使用商品の商取引において、実際にどのような態様の商標が表されていたのかが明らかではなく、被請求人が提出した乙各号証によっては、使用商品に、本件商標又は本件商標と社会通念上同一の商標が使用されている事実は確認できない。
（４）使用商品の使用について
　ア　商標法第２条第３項第１号及び同項第２号について
　上記（３）のとおり、被請求人は、使用商品又は当該商品の包装に対してどのような商標を付しているのか明らかにしていない。
　したがって、商標権者、専用使用権者又は通常使用権者が、本件商標又は本件商標と社会通念上同一の商標を本件取消請求に係る指定商品に、日本国内において、要証期間内に、商標法第２条第３項第１号及び同項第２号に係る使用したものとは認められない。
　さらに、仮に、使用商品又はその包装に、本件商標又は本件商標と社会通念上同一の商標が付されているとしても、被請求人が提出した取引先（ＴＩＳ、ＡＩＴ、ユニアデックス）との間の取引書類（上記１（２）ないし（４））は、いずれも、被請求人が作成したものであり、当該取引先が発行した受領書や代金支払書等の証拠が提出されていないため、譲渡の事実を確認することができない。また、その他、被請求人の主張及び被請求人が提出した乙各号証によっても、上記を立証していない。
　イ　商標法第２条第３項第８号について
　上記（３）のとおり、被請求人は、使用商品の商品カタログにどのような商標を付して広告しているのか明らかにしていない。
　また、被請求人が提出した乙第１号証の会社案内は、その発行部数、作成日、頒布先等が不明であり、使用商品についての広告がなされていることは確認できない。
　さらに、その他、被請求人の主張及び被請求人が提出した乙各号証によっても、上記を立証していない。
　したがって、商標権者、専用使用権者又は通常使用権者が、本件商標又は本件商標と社会通念上同一の商標を本件取消請求に係る指定商品に、日本国内において、要証期間内に、商標法第２条第３号第８号に掲げる使用したものとは認められない。
（５）小括
　上記（１）ないし（４）に検討したとおり、被請求人が提出した乙各号証によって、本件商標権者が、使用商品であるＥ−ｍａｉｌソフトウェアを製造・販売していること、及び、当該使用商品が本件取消請求に係る指定商品の「電子応用機械器具及びその部品」の範ちゅうに属することは認められるものの、使用商品に本件商標又は本件商標と社会通念上同一の商標が使用されていること、及び、使用商品の譲渡や広告に使用されていることは認めることができない。
　したがって、被請求人は、要証期間内に日本国内において商標権者、専用使用権者又は通常使用権者のいずれかが本件取消請求に係る指定商品について、本件商標を使用していたことを証明していない。
　３　被請求人の主張について
（１）被請求人は、審判事件答弁書において、本件商標と使用商標とが社会通念上同一である旨を主張しているが、上記２（３）及び（４）で判断したとおり、被請求人が提出した乙各号証によっては、使用商品又はその包装に、本件商標又は本件商標と社会通念上同一の商標が使用されている事実は確認できない。
　また、上記１のとおり、乙第１号証、乙第６号証ないし乙第１３号証には、それぞれ「ＡＩＲ　ＭＡＩＬ」、「ＡＩＲＭＡＩＬ　Ｓｅｒｖｅｒ　ＵＮＩＸ」、「ＡＩＲＭＡＩＬ　Ｓｕｐｐｏｒｔ」又は「ＡＩＲＭＡＩＬ　構築　Ｓｕｐｐｏｒｔ」の文字が記載されており、仮に、これらが使用標章であるとしても、本件商標は、文字と図形が結合された商標であり、本件商標中の「ＡＩＲ　ＭＡＩＬ」の欧文字の上部に添えられた３つの波打った四角形が、文字列に対して著しく小さいとか、背景と看做せるとかいうことはなく、本件商標における図形部分（３つの波打った四角形）が自他商品の識別標識としての機能が弱いということはできないため、上記使用標章が、本件商標と社会通念上同一とはいえない。
（２）被請求人は、審判事件答弁書において、乙第１号証から、使用商標が電子メール用ソフトウェアの広告に使用されていた旨、及び、乙第４号証ないし乙第１３号証から、使用商標が電子メール用電子計算機用プログラム及び電子メール用電子計算機用プログラムの提供に使用されていた旨を主張しているが、上記２（４）のとおり、取引先が発行した受領書や代金支払書等の証拠が提出されていないため、乙第４号証ないし乙第１３号証からは使用商品の譲渡の事実が確認できないし、乙第１号証については、その発行部数、作成日及び頒布先等が不明であるから使用商品についての広告がなされていることは確認できない。
　したがって、被請求人の上記主張はいずれも採用することができない。
　４　まとめ
　以上のとおり、被請求人は、要証期間内に日本国内において商標権者、専用使用権者又は通常使用権者のいずれかが本件取消請求に係る指定商品について、本件商標を使用していたことを証明したものと認めることはできない。
　また、被請求人は、本件取消請求に係る指定商品について本件商標を使用していないことについて正当な理由があることも明らかにしていない。
　したがって、本件商標の登録は、商標法第５０条の規定により、本件商標の指定商品中、第９類「電子応用機械器具及びその部品，電池，眼鏡，電気通信機械器具，遊園地用機械器具，映写フィルム，スライドフィルム，スライドフィルム用マウント，録画済みビデオディスク及びビデオテープ，計算尺」については、その登録は取り消すべきものである。
別掲（本件商標）